(57)【特許請求の範囲】
【請求項１】
複数枚の板材を、水平軸線の周りに折畳み可能に相互連結するとともに、いずれか一方の端部の板材の遊端を、ベース部材にヒンジ連結してなり、各板材を、折畳み直立姿勢と展開敷設姿勢との間で変位させる養生パネルであって、
板材の、折畳み直立姿勢で下端となる部分に、設置面に接触する転動輪を設け、各転動輪の下縁を、展開姿勢としたそれぞれの板材の下面と同一もしくはそれより高いレベルに位置させるとともに、各板材を、少なくとも折畳み直立姿勢に変位させる駆動手段を設けてなる養生パネル。
【請求項２】
板材に、それらの折畳み直立姿勢の下で、板材相互の展開方向の力を発生する一方、それらの展開敷設姿勢の下で、板材の折畳み方向の力を発生する反力手段を設けてなる請求項１記載の養生パネル。
【請求項３】
前記駆動手段を、ベース部材に取り付けたウインチと、ウインチの巻取部に連係されて、展開敷設姿勢のそれぞれの板材にジグザグ状に掛け渡されるワイヤとで構成し、ワイヤの引っ張り力の作用で、それぞれの板材に折畳み方向の外力を付与することを特徴とする請求項２記載の養生パネル。
【請求項４】
前記駆動手段を、板材の折畳み直立姿勢で上端側となる板材相互の折曲部で、それぞれの板材に各端をヒンジ連結した一のリンクに駆動側部材を取り付けるとともに、それぞれの板材に各端をヒンジした、ともに長さの等しい一対のリンクの相互ヒンジ部に被動側部材を連結した並進駆動手段により構成したことを特徴とする請求項１もしくは２記載の養生パネル。
【請求項５】
前記駆動手段を、板材の折畳み直立姿勢で上端側となる板材相互の折曲部で、一方の板材に取り付けた固定歯車と、他方の板材に取り付けられてその固定歯車に噛合する回転歯車と、この回転歯車を直接的もしくは間接的に駆動するギヤードモータとで構成したことを特徴とする請求項１もしくは２記載の養生パネル。
【請求項６】
前記駆動手段を、各板材の展開敷設姿勢でベース部材から最も離れて位置する板材の遊端にヒンジ連結した自走手段により構成したことを特徴とする請求項２記載の養生パネル。
【請求項７】
それぞれの板材にリンクを連結して、複数の板材およびリンクで平行リンク機構を構成するとともに、前記駆動手段を、少なくとも一枚の板材に連結もしくは掛け渡したワイヤと、ベース部材に取り付けられて、前記ワイヤを巻き取るウインチとで構成することを特徴とする請求項２記載の養生パネル。
【請求項８】
請求項１〜７のいずれか一項に記載の養生パネルの一の板材をヒンジ連結したベース部材に、入子式に構成されて、引出し姿勢の下では、養生パネル上で段階的に座席を起立可能な移動観覧席を配置してなる、養生パネルと移動観覧席との組合わせ構造体。
【請求項９】
ベース部材上に入込み姿勢で配置した移動観覧席を、養生パネルの連結側を除いて囲繞するハウジングを設けてなる請求項８記載の、養生パネルと移動観覧席との組合わせ構造体。
【発明の詳細な説明】
【０００１】
【発明の属する技術分野】
この発明は、地面、床面等を集中荷重の作用から有効に保護する養生パネルおよび、それと移動観覧席との組合わせ構造体に関するものである。
【０００２】
【発明が解決しようとする課題】
たとえば、運動競技場のアンツーカ、芝生等は規格、規定その他に則って施工、管理等されているので、アンツーカの敷き詰め区域、芝生の植生区域等ではそこに窪みその他の損傷を生じさせるおそれのある行為は厳に慎む必要がある。
従って、それらの区域に重量物を搬入出する必要がある場合、それらの区域を経て重量物を搬入出することが至便である場合であっても、重量物を積載したトラック等をそれらの区域内で直接的に走行させることができない。
【０００３】
そこで従来は、このような場合には、作業員の手作業によって養生用の板を広範囲に敷き込んで、トラック等の通過を可能にすること、クレーン等の重機を用いて、重量物を上記区域の反対側まで運搬することなどによって対処していたため、作業工数上および作業効率上の不都合が不可避であった。
【０００４】
またこの一方で、競技場で行なわれる競技種目等に応じてそれらの区域に観客席を設けることが好適であっても、たとえば、既知の移動観客席、折畳み椅子等の可搬椅子をそこに直接的に設置する場合には、転動支持輪、支持脚その他によるアンツーカ、芝生等の損傷が不可避となるため、かかる場合にあっても、通常は、競技場に既設の遠くの観客席からの観戦、観覧等が余儀なくされ、または、より狭小な競技場等への会場変更が余儀なくされていた。
【０００５】
この発明は、従来技術のこのような問題を有利に解決するものであり、重量物を積載したトラック等のアンツーカ敷き詰め区域、芝生の植生区域等への乗り入れを十分可能とし、また、それらの区域に観客席を設置してなお、アンツーカ、芝生等の損傷を十分に防止することができる養生パネルおよび、それと移動観客席との組合わせ構造体を提供すのものである。
【０００６】
【課題を解決するための手段】
この発明の養生パネルは、複数枚の板材を、水平軸線の周りに折畳み可能に相互連結するとともに、いずれか一方の端部の板材の遊端を、ベース部材にヒンジ連結してなり、各部材を、折畳み直立姿勢と展開敷設姿勢との間で変位させるものであって、板材の、折畳み直立姿勢で下端となる部分に、設置面に常時もしくは、折畳み姿勢時を除いて接触する転動輪を設け、各転動輪の下縁を、展開姿勢としたそれぞれの板材の下面と同一もしくはそれより高いレベルに位置させるとともに、各板材を、少なくとも折畳み直立姿勢に変位させる駆動手段を設けたものである。
なお、ここにおける駆動手段は、動力を内蔵させたものとすることの他、人力を動力とするものとすることもできる。
【０００７】
この養生パネルでは、折畳み姿勢のそれぞれの板材を、それらの自重に基づき、より好ましくは展開方向駆動力の作用に基づいて展開変位させるとともに、このような展開変位中の板材重量を、折畳みの谷部に相当する部分、場合によっては展開方向の先端パネルの遊端位置にも設けた転動輪によって支持することにより、養生パネルの展開作動を、たとえばアンツーカに何の損傷をももたらすことなく、円滑にして、簡単かつ容易に行なうことができる。
なおここで、転動輪の材質、各種寸法および個数は、板材重量の支持下にて、その重量をアンツーカの損傷を防ぐに十分な程度に分散等させ得るものとすることはもちろんである。
【０００８】
そして、養生パネルの展開姿勢の下にては、たとえば、各転動輪の直径寸法の予めの選択に基づいて、その下縁を板材の下面と同一レベルに位置させることで、その養生パネル上に載置される、もしくはそこを通過する重量を、アンツーカに対しては、各板材の全面にわたって十分均等に分散させて支持することが可能となるので、その養生パネル上を、重量物を積載したトラック等が走行する場合、そこに移動観覧席等を設置して観客を着座させる場合等においても、アンツーカへの荷重の集中を防止してそれの損傷のおそれを有効に除去することができる。
【０００９】
ところで、養生パネルの各板材とアンツーカとの面接触は、上述したところに代えて、養生パネルの展開後に、各転動輪を、シリンダその他の並進駆動手段または回動駆動手段の作用下で、その下縁が、板材の下面と同一のレベルもしくはそれより高いレベルとなる位置まで変位させることによって実現することができる他、養生パネルの展開状態では弾性手段によってパネルの下方への突出姿勢をとる転動輪を、その養生パネル上への荷重の作用下で、弾性手段のばね力に抗して板材の下面と同一のレベルまで後退変位させることによって実現することもできる。
【００１０】
またこの養生パネルでは、各板材を、少なくとも折畳み直立姿勢に変位させる，より好ましくは、展開敷設姿勢にも変位させる駆動手段をもうけることによって、板材の、折畳み直立変位および展開変位のそれぞれを、確実にかつ円滑に行なわせることができる。
【００１１】
以上のような養生パネルにおいて、好ましくは、相互に連結した板材の全て、または一枚おきに、板材の折畳み直立姿勢において、板材相互の展開方向の力を発生する一方、板材の展開敷設姿勢において板材の折畳み方向の力を発生する反力手段を設ける。
【００１２】
かかる反力手段を設けた場合には、折畳み状態の養生パネルに対する拘束力を解除することにより、各板材は、反力手段の作用の下に展開方向に幾分変位し、その変位の後は、自重によって展開方向に変位するので、各板材を展開駆動するための特別の手段を設ける必要なしに、板材の、確実かつ円滑な展開敷設を行うことができる。この一方で、展開敷設した状態の養生パネルにあっては、そのパネル上への負荷を取り除くことで、各板材が折畳み方向へ幾分変位することになるので、各板材への折畳み外力の作用のさせ方の自由度が大きくなり、簡単な構造の各種の手段をもって板材を簡単に折畳むことが可能となる。
【００１３】
なおここにおける反力手段は、たとえば、一端を板材に枢支し、他端にローラを取り付けたアームを、コイルばね、ゴム等の弾性部材によって板材から離れる方向へ附勢することにより構成することができる。
【００１４】
ここで、養生パネルの駆動手段は、ベース部材に取り付けたウインチと、ウインチの巻取部に一端を連係されて、展開敷設姿勢のそれぞれの板材にジグザグ状に掛け渡されるワイヤとからなり、そのワイヤへの引っ張り力の作用で、それぞれの板材に折畳み方向の外力を付与するものとすることができ、この場合、ワイヤの他端は、展開状態で先端側となる部材に固定することの他、その板材に設けたシーブを経てベース部材まで巻き返してそこに固定等することが可能である。
【００１５】
この駆動手段によれば、ウインチの巻取部を回転させてワイヤを巻き取ることにより、それぞれの板材は、前記反力手段による折畳み方向の力の作用に加え、ワイヤに作用する張力による、折畳み方向の外力をも受けることになって、板材の、水平軸線周りでの円滑にして確実な折畳みが行われることになる。そして各板材が折畳み直立姿勢に達した後は、ワイヤ張力を、反力手段の復元反力より大きく維持することで、その直立姿勢を保持することができる。
【００１６】
そしてまた、折畳み姿勢にある板材の展開敷設は、ワイヤ張力を低減させることによって、上述したように、各板材の、反力手段による展開方向変位および、自重による展開方向変位のそれぞれをもたらす一方で、各板材の展開速度をワイヤ張力によって調整することで、これもまた円滑にかつ確実に行うことができる。
【００１７】
また、他の駆動手段は、板材の折畳み直立姿勢で上端側となる板材相互の折り曲げ部で、それぞれの板材に、一のリンクのそれぞれの端部をヒンジ連結し、そのリンクに駆動側部材を取り付けるとともに、それぞれの板材に各一端をヒンジ連結した、ともに等しい長さの一対のリンクの相互ヒンジ部に被動側部材を連結した並進駆動手段により構成することができる。ここで、この並進駆動手段としては、シリンダを駆動側部材とし、ロッドを被動側部材とした油圧シリンダ、ナット部材を駆動側部材とし、ねじ軸を被動側部材としたねじ駆動手段または、ピニオンを駆動側部材とし、ラックを被動側部材とした歯車駆動手段等とすることができ、それらのいずれにあっても、被動側部材を後退変位させて、一対のリンクを直線状に整列させることによって各板材の完全展開を、逆に、被動部材を進出変位させて、一対のリンクの相互を限界まで折り曲げ変位させることによって各板材の完全なる折畳みを、それぞれ一層確実に行うことができる。
【００１８】
さらに他の駆動手段は、板材の折畳み直立姿勢で上端側となる板材相互の折曲部で、一方の板材に取り付けた固定歯車と、他方の板材に取り付けられてその固定歯車に噛合する回転歯車と、この回転歯車を直接的もしくは間接的に駆動するギヤードモータとで構成することができ、これによれば、ギヤードモータの作動に基づいて、回転歯車を駆動してその回転歯車を固定歯車の周りに相対回動させることにより、相互に隣接する二枚の板材の折畳みおよび展開のそれぞれを、これもまた確実に行うことができる。
なおこの場合には、たとえば、固定歯車および回転歯車のそれぞれの軸に枢支したリンクが両板材の連結部材として機能する。
【００１９】
他の駆動手段は、各板材の展開敷設姿勢でベース部材から最も離れて位置する板材の遊端にヒンジ連結した自走手段によって構成することができる。
この駆動手段では、自走手段をベース部材から離れる方向に走行させることによって板材の展開敷設が行われ、逆に、ベース部材に近づく方向に走行させることによって、反力手段の作用と相俟って、板材の、立直姿勢への折畳みが行われる。
【００２０】
またこの養生パネルでは、それぞれの板材にリンクを連結することで、それぞれの板材およびリンクで、レージトング機構に類似の平行リンク機構を構成するとともに、駆動手段を、少なくとも一枚の板材に連結もしくは掛け渡したワイヤと、ベース部材に取り付けられてワイヤを巻き取るウインチとで構成することができ、これによれば、少なくとも一枚の板材を駆動手段によって折畳み作動させることにより、板材の連結枚数が偶数であると奇数であるとにかかわらず、平行リンク機構の作用下で、全ての板材を同時に折畳み変位させることができる。
そして、各板材の敷設展開は、反力手段および板材自重による板材の急激な展開変位をワイヤ張力によって調整することで円滑に行うことができる。
【００２１】
この発明の、養生パネルと移動観覧席との組合わせ構造体は、先に述べたいずれかの養生パネルの一の板材をヒンジ連結したベース部材上に、入子式に構成されて、引出し姿勢の下では、養生パネル上で段階的に座席を起立可能な移動観覧席を配置したものである。
【００２２】
この組合わせ構造体では、移動観覧席をそれの入込み姿勢でベース部材上に配置するとともに、養生パネルの各板材を折畳み直立姿勢とすることで、その養生パネルで移動観覧席を遮へいすることができ、これによって、移動観覧席の不使用時の見映えを高めることができる。
【００２３】
また、この組合わせ構造体においてより好ましくは、ベース部材に入込み姿勢で配置した移動観覧席を、養生パネルの連結側を除いて囲繞するハウジングを、前記ベース部材と一体に、もしくはそれとは別体に設ける。
【００２４】
これによれば、ベース部材と、折畳み直立姿勢の養生パネルと、ハウジングとで、不使用状態の移動観覧席を封じ込めることによって、組合わせ構造体の全体を積状単位ユニットとしてコンテナの如くに取り扱うことが可能となって、運送等を極めて容易ならしめることができ、また、その組合わせ構造体を特定個所に据え置いて、見映えのより一層の向上をもたらすことができるとともに、雨、風、光等から移動観覧席を有効に確保することができる。
【００２５】
【発明の実施の形態】
以下この発明の実施の形態を図面に示すところに基づいて説明する。
図１は、この発明の一の実施形態を、駆動手段を省いて示す側面図であり、図中１ａ〜１ｄはそれぞれ、図示しない水平軸線の周りで折畳み可能に相互連結した板材を示す。
【００２６】
ここで、いずれか一方の端部の板材、図では右端の板材１ｄの遊端を、各板材１ｓ〜１ｄと同様厚みの板状のベース部材２に、これもまた水平軸線の周りに回動可能にヒンジ連結して、各板材１ａ〜１ｄを、図に実線で示すようにそれぞれの板材１ａ〜１ｄが同一の水平面内に整列する展開敷設姿勢と、図に仮想線で示すように各板材が垂直に立ち上がる折畳み直立姿勢との間で変位可能ならしめる。
【００２７】
ここにおいて、それぞれの板材１ａ〜１ｄのうち、折畳み姿勢で山側となる部分の相互連結は、図２にその一例を、板材１ａ，１ｂについて示すように、それらの両板材１ａ，１ｂの厚み方向の中間部に、長さを適宜に選択した短尺リンク３のそれぞれの端部をヒンジ連結するとともに、両部材１ａ，１ｂの相互の隣接部分を各板材の下面側にて比較的大きく面取りすることによって行うことができ、これによれば、各板材１ａ，１ｂの展開敷設姿勢の下では、図２（ａ）に示すように、両板材間の隙間を十分小ならしめてなお、各板材１ａ，１ｂの折畳みに際しては、図２（ｂ）に示すように、板材相互の干渉を十分に防止して図２（ｃ）に示すような折畳み直立姿勢をもたらすことができる。
【００２８】
また、それぞれの板材１ａ〜１ｄのうちの、折畳み姿勢で谷側となる部分の相互連結は、図３（ａ）に示すように、折畳み直立姿勢にあって相互に面接触する板材１ｂ，１ｃの下端部を、それら相互の隣接側へ薄肉とするとともに、それらの両薄肉部に下端リンク４をヒンジ連結し、さらに、それぞれの薄肉部の下端面を、それぞれのヒンジ中心からともに等しい半径を有する円弧面とすることにより行うことができる。
【００２９】
かかる連結構造によれば、各板材１ｂ，１ｃの折畳み直立姿勢の下では、図３（ａ）に示すようなそれら両者の接触下で、占有スペースを有効に低減させることができ、また、板材１ｂ，１ｃの展開敷設に当たっては、図３（ｂ）に示すような、薄肉部下端面の相互の接触下にて円滑に相対変位することができるとともに、各板材１ｂ，１ｃの、図３（ｃ）に示すような展開敷設姿勢の下では、両板材間の隙間を十分小さく抑えることができる。従って、図３（ｃ）に仮想線で示すように、たとえば１００ｍｍ前後の直径を有する走行輪を一方の板材から他方の板材上へ転動させる場合には、両板材間にその隙間が存在しても、小さな抵抗の下で、走行輪を十分円滑に転動させることができる。
【００３０】
ところで図３に示す５は、下端リンク４の、それぞれの板材１ｂ，１ｃへのヒンジ連結位置より下方部分に取り付けた転動輪であり、ここでは、一の下端リンク４に設けた二個の転動輪５のそれぞれは、各板材１ｂ，１ｃの折畳み方向におよび展開方向のそれぞれの変位に際して、設置面上を転動して、板材１ｂ，１ｃの設置面上での引き摺り防止するとともに、板材重量を支持すべく機能する。なおここで、それぞれの板材１ｂ，１ｃの長さを、図１に仮想線で示すように、それらの完全な折畳み姿勢にあってなお、各転動輪５が設置面６に接触する長さとした場合には、それぞれの転動輪５は、板材１ｂ，１ｃの展開変位および折畳み変位の全工程にわたってその設置面６に常時接触することになるも、それらの板材１ｂ，１ｃを、図示のような折畳み姿勢の下で、各転動輪５が設置面６から浮き上がって位置する長さとした場合には、それぞれの転動輪５は、板材１ｂ，１ｃの展開途中から設置面に接触することになるとともに、折畳み途中から設置面より持ち上げられることになる。
【００３１】
そしてこれらのいずれの場合にあっても、各転動輪５は、板材１ｂ，１ｃの、図１に実線で示すような展開敷設姿勢の下では、各板材の下端部の、前述した薄肉化に伴って生じる空間内に位置して、その下縁が、板材１ｂ，１ｃの下面と同一レベルとなる直径を具える。従って、展開敷設された板材上へのその後の荷重の作用に対しては、各板材は、その荷重を全面に分散させて支持することができ、設置面６への荷重の集中を有効に阻止してその設置面６への損傷の発生を十分に防止することができる。
【００３２】
ここで、図１に示すように四枚の板材１ａ〜１ｄを相互連結した場合には、板状ベース部材２から最も離れて位置する板材１ａは、それの折畳み姿勢において、遊端が設置面に近接して位置することになるので、そこにもまた、板材１ａの引き摺りを防止し、板材重量を支持する転動輪を設ける。図４は、その例を示す部分側面図であり、ここでは、板材１ａを、その遊端近傍部分から遊端に向けて、展開姿勢の板材１ａの上面側へ次第に薄肉とし、そしてその薄肉部に、前記転動輪５と等しい直径の転動輪７を、水平軸線の周りに回転自在に取り付ける。
【００３３】
これによれば、転動輪７の作用に加え、板材遊端部分の薄肉化に基づき、板材１ａを、図示のように、折畳み姿勢と展開姿勢との間で、板材１ａの、設置面への摺れなしに円滑に変位させることができ、また、板材１ａの展開姿勢では、予め選択した転動輪直径に基づき、板材１ａを、それのほぼ全面にわたって、設置面に面接触させることができる。
【００３４】
この一方で、板材１ｄの、板状ベース部材２へのヒンジ連結は、図５に示すように、それの遊端部分を、展開姿勢の板材１ｄの上面側へ次第に薄肉とするとともに、端面を円弧面とした状態で、その円弧端面を、ベース部材端面に当接させて板材１ｄを連結することによって行うことができ、これによれば、板材１ｄの折畳み姿勢では、その板材１ｄは、それの上面に相当する面が板状ベース部材２の端面に面接触した状態で直立して占有スペースの低減をもたらし、またそこからの展開変位は、円弧端面の、ベース部材端面への摺接下にて十分円滑に行うことができる。しかもここでは、板材１ｄの遊端部分を次第に薄肉化することで、その板材１ｄが設置面上に平坦に展開されるまでの間に、それの裏面側部分が設置面に摺れるのを十分に防止することができる。
【００３５】
さらに、図１中８は反力手段を示し、図では各板材１ａ〜１ｄに取り付けたこの反力手段８は、それの展開敷設姿勢の下では折畳み方向の力を発生し、それの折畳み直立姿勢の下では展開方向の力を発生する。
【００３６】
図６，７はそれぞれ、このような反力手段８の構成例を示す図であり、図６に示す反力手段８は、一端を板材側に枢支連結したアーム９の他端にローラ１０を回転自在に取り付けるとともに、そのアーム９を、コイルばね１１によって、板材の下面側へ突出する方向に付勢したものである。また、図７に示す反力手段８は、アーム９の一端を固定する回動軸１２の少なくとも中央部分を角筒、図では四角筒形状とするとともに、その回動軸１２を収容し、板材側に固定されるケーシング１３をもまた、たとえば四角筒形状とし、それらの両四角筒間に、アーム９を板材から、図示のように突出させる方向の復元反力を生じるゴム、ゴム状弾性体その他の反力部材１４を充填したものであり、これらのいずれの反力手段８によっても、予め選択された復元反力の下で、上述した機能を十分に発揮させることができる。
【００３７】
図８は、以上のように相互連結した各板材１ａ〜１ｄの、主には折畳み変位をもたらす駆動手段の一形態を示す側面図である。
この駆動手段は、板状ベース部材２の、板材１ａ〜１ｄの連結側とは反対の端部分上にウインチ、たとえば電動ウインチ１５を設け、このウインチ１５の、たとえば二個の巻取部１６に一端を連係したそれぞれのロープ、図ではワイヤロープ１７を、板材１ａ〜１ｄの両側で、展開敷設姿勢のそれぞれの板材にジグザグ状に掛け渡して、それらのワイヤロープ１７への引張り力の作用に基づき、板材の折畳み姿勢で山側となる板材連結部に上向きの力を、また、谷側となる板材連結部に下向きの力を、それぞれ付与する構成としたものである。
【００３８】
ここにおいて、各ワイヤロープ１７の他端は、図示のように、ベース部材２から最も離れて位置する板材１ａに取り付けたシーブ１８にて巻き返して、ベース部材上の固定部１９に連係させることの他、シーブ１８、固定部１９等の設置なしに、板材１ａに直接的に固定することもできる。なお前者の場合にあっては、板材に設けられて、ワイヤロープ１７のジグザグ状の延在を許容するそれぞれのワイヤ掛合部２０が、板材の折畳み変位および展開変位のそれぞれに当たって、ワイヤロープ１７の巻き返し部１７ａに引っ掛かるのを防止するべく、その巻き返し部１７を、ワイヤ掛合部２０よりも板材の幅方向外側位置で延在させることが必要である。
【００３９】
かかる駆動手段によれば、電動ウインチ１５の作動によってワイヤロープ１７を巻取部１６に巻き取ることにより、そのワイヤロープ１７が各板材１ａ〜１ｄに折畳み方向の外力を及ぼすことから、各反力手段８もまた各板材１ａ〜１ｄに同方向の力を及ぼすことと相俟って、各板材１ａ〜１ｄに、円滑にして確実な折畳み変位を行なわせることができ、そのワイヤロープ１７の巻取りを終えた時点で、図８（ｂ）に示すように、全ての板材１ａ〜１ｄを、折畳み直立姿勢とすることができる。
【００４０】
この一方で、折畳み直立姿勢の板材１ａ〜１ｄに対し、ワイヤロープ１７の張力を緩めた場合には、各板材１ａ〜１ｄは、はじめは、反力手段８の作用に基づいて展開方向に変位し、その後は自重に基づいて展開方向に変位することになるので、各板材１ａ〜１ｄの展開敷設に当たっては、ワイヤロープ１７の繰り出し速度を適宜に調整することで、板材１ａ〜１ｄの展開速度をコントロールし、各板材１ａ〜１ｄの、設置面６への衝接を有効に防止する。
【００４１】
なおこの図に示すところでは、反力手段８を、二枚の板材１ｂ，１ｃを隔てて他の二枚の板材１ａ，１ｄだけに設けているが、かかる構成によっても各板材１ａ〜１ｄに所期した通りの力を及ぼすことができる。またここでは、両端部に位置する二枚の板材１ａ，１ｄに比して他の板材１ｂ，１ｃの長さを短く構成しており、これがため、各板状１ａ〜１ｄの、図８（ｂ）に示す折畳み姿勢では、板材１ｂ，１ｃの連結部に設けた転動輪５が設置面６から浮上がることになるも、そのこと自体は、板材の折畳み変位および展開変位のそれぞれに特別の影響を及ぼすことはなく、単に、板材１ｂ，１ｃの折畳み変位の途中から転動輪５が設置面６に接触しなくなり、また、それらの転動輪５は、板材１ｂ，１ｃの展開変位の途中から設置面６に接触することになるにすぎない。
【００４２】
図９は、駆動手段の他の形態を示す略線図であり、これは、相互に連結した板材の折畳み直立姿勢で上端側となる板材相互の折曲部に、板材を展開および折畳みの両方向に駆動する並進駆動手段２１を、一の折曲部当たり二個づつ取り付けたものである。
【００４３】
図１０は、この並進駆動手段２１の一例としてのねじ駆動手段２２を示す図であり、ここでは、相互に隣合う二枚の板材、たとえば板材１ａ，１ｂのそれぞれの側面に、短い寸法の一のリンク２３のそれぞれの端部を、図１０（ｂ）に示すようにヒンジ連結するとともに、そのリンク２３に、図１０（ａ）に示すような駆動側部材、たとえば、図示しないナット部材と、そのナット部材の駆動モータ２４とを取り付けるとともに、それぞれの板材１ａ，１ｂに各一端をヒンジした、ともに等しい長さの一対のリンク２５ａ，２５ｂの相互ヒンジ部に、被動側部材、図ではナット部材の回転に伴って進退運動されるねじ軸２６を連結する。
【００４４】
ここにおけるナット部材は、たとえば、モータ軸に取り付けたウオームと噛合するウオームホィールの内周面に、ねじ軸２６に螺合する雌ねじ部を形成したものとすることができ、このようなナット部材は、それの、図の上下方向の移動を拘束することで、モータ２４の作動に基づいてねじ軸２６を円滑に進退運動させることができる。
【００４５】
また図示のねじ軸２６は、一対のリンク２５ａ，２５ｂの相互ヒンジ部に設けたブロック２７に貫通して、そのブロック２７を、ねじ軸２６の進退運動に伴って変位させて、リンク２５ａ，２５ｂの揺動運動をもたらすべく機能するとともに、その下端に取り付けられて設置面６に接触するプッシュパッド２８をもってその設置面６を押圧することで、板材１ａ，１ｂに折畳み方向の反力を及ぼすべく機能する。これがため、そのねじ軸２６を、たとえば、ブロック２７の軸線方向および回転方向相対変位の拘束下でそれに貫通させ、また、プッシュパッド２８に対しては、図１０（ｃ）に断面図で例示するように、相対回転可能に抜止め連結する。なおここで、ねじ軸２６の回転運動を十分に防止できるこの例においては、プッシュパッド２８に対してねじ軸２６を相対回転可能とすることは必須ではなく、プッシュパッド２８をねじ軸２６に固定しても設置面６の損傷のおそれはない。
【００４６】
このようなねじ駆動手段２２によれば、各板材１ａ〜１ｄの、図９（ａ）に仮想線で示すような折畳み直立姿勢の下で、ねじ軸２６を後退変位させることにより、一対のリンク２５ａ，２５ｂの、垂直面に対する延在角度との関連において、各板材１ａ〜１ｄの円滑なる展開変位が開始され、このことは、板材に、前述した反力手段８を設けた場合にとくに効果的である。
【００４７】
各板材１ａ〜１ｄのこのような展開変位の継続により、一対のリンク２５ａ，２５ｂは、それら相互のヒンジ部の周りで、次第に開放方向に回動変位され、ついにはそれらのリンク２５ａ，２５ｂが直線状に整列し、この時点で、各板材１ａ〜１ｄの展開敷設が完了する。図９（ａ），（ｂ）および図１１ではこの敷設状態を実線で示している。
【００４８】
ところで、図９（ａ）に示すところでは設置面６と一体に構成したベース部材２上に入子式構造の移動観覧席２９を配置しているので、全ての板材１ａ〜１ｄを上述したように敷設した後、その移動観覧席２９を展開姿勢の板材上に引き出して、そこで座席を段階的に起立させることで、たとえば、アンツーカの敷き詰め区域を簡単にかつ容易に観覧席に変更することができるとともに、そのアンツーカを損傷から十分に保護することができる。
【００４９】
この一方で、各板材１ａ〜１ｄを折畳み変位させる場合には、入子構造の移動観覧席２９をベース部材２上に入込み配置した後、ねじ軸２６を進出変位させて、プッシュパッド２８で設置面６を押圧することにより、各板材に折畳み方向の反力を作用させて、各板材の、たとえば図１１に仮想線で示すような折畳み変形の開始を十分円滑ならしめ、それ以後は、ねじ軸２６の進出変位の継続に基づいて、全ての板材１ａ〜１ｄを、図９（ａ）に仮想線で示すような折畳み直立姿勢とする。
【００５０】
図１２は並進駆動手段２１の他の例として、油圧シリンダ３０を用いる場合について示す要部拡大斜視図であり、これは、両板材１ａ，１ｂにヒンジ連結した一の短いリンク２３に、油圧シリンダ３０のシリンダ３１を固定するとともに、一対のリンク２５ａ，２５ｂの相互連結部にピストンロッド３２を連結したものである。
【００５１】
ここで、図示の油圧シリンダ３０は単動タイプのものであり、板材の折畳み方向の駆動力だけを発生し、板材の展開に対しては展開速度のコントロールだけを行う構成としているが、それを複動タイプとして、上記両方向に対して駆動力を発生するものとすることも可能である。
【００５２】
このような油圧シリンダ３０によれば、ピストンロッド３２を進出変位させることによって各板材１ａ〜１ｄを折畳み変位させることができるとともに、後退変位させることによって展開変位させることができ、また、単動タイプのものにあっては、板材重量に基づくピストンロッド３２の後退変位に対し、シリンダ側室からの油の流出速度を制限することで、板材１ａ〜１ｄの展開速度を所期した通りにコントロールすることができる。
【００５３】
従って，油圧シリンダ３０を並進駆動手段２１として用いた場合にもまた、各板材１ａ〜１ｄの各方向の変位を、ねじ駆動手段２２を用いる場合または、電動ウインチ１５を用いる場合とほぼ同様に行わせることができる。
【００５４】
なお図示はしないが、たとえば、ラックとピニオンとからなる歯車機構の、ピニオンを駆動側部材とし、ラックを被動側部材とした歯車駆動手段を並進駆動手段２１として用いることもでき、これによれば、ラックを進退変位させることによって、各板材１ａ〜１ｄを、先に述べたねじ駆動手段２２と同様に折畳みおよび展開変位させることができる。
【００５５】
図１３は、他の駆動手段を示す図であり、ここでは、折畳み直立姿勢で上端側となる板材相互の折曲部で、一方の板材１ａに固定歯車３３を取り付けるとともに、他方の板材１ｂに、その固定歯車３３に噛合する回転歯車３４を取り付け、この回転歯車３４を、直接的もしくは間接的、図では中間歯車３５を介して間接的に駆動するギヤードモータ３６を他方の板材１ｂに固定することで歯車駆動手段を構成する。
【００５６】
なおここでは、前記両歯車３３，３４の中心軸に枢支したリンク３７によって両板材１ａ，１ｂを相互連結するとともに、板材１ａ，１ｂの両側部のそれぞれのリンク３７にカバープレート３８を一体的に連結し、このカバープレート３８により、展開姿勢の板材相互間の隙間を、図１３（ｂ）に示すように埋め込み可能ならしめる。
【００５７】
このような歯車駆動手段によれば、ギヤードモータ３６の作動によって、回転歯車３４を、図１３（ａ）に示すところで右回りに回転させることにより、その回転歯車３４は、固定歯車３３に対し、それの回りに右回りに回動することから、展開敷設姿勢の板材１ａ，１ｂを、円滑かつ確実に折畳み変位させることができ、図に仮想線で示すような変位姿勢を経て、各板材１ａ〜１ｄを所要の速度で折畳み直立姿勢とすることができる。
【００５８】
そしてまた、折畳み直立姿勢の各板材１ａ〜１ｄを展開変位させる場合には、回転歯車３４を左回りに回転させることによって、各板材を、円滑かつ確実に図１３（ａ）に実線で示す展開姿勢にもたらすことができる。
【００５９】
図１４は、さらに他の駆動手段を示す部分断面略線側面図であり、これは、各板材１ａ〜１ｄの展開敷設姿勢でベース部材２から最も離れて位置する板材１ａの遊端にヒンジ連結した自走手段を駆動手段とするものである。
【００６０】
図示の自走手段４０は、板材１ａへの連結部４１を有するハウジング４２内に、ブレーキ付きギヤードモータ４３と、このギヤードモータ４３によって駆動される二個の駆動輪４４とを収納配置したものである。ここで、かかる自走手段４０の駆動系は、図１５に示すように、一のハウジング４２内に一組だけを配置することの他、所要に応じて二組もしくはそれ以上配置することもできる。ところで、図１５（ｂ）に示すところにおいて、各駆動系に隣接させて配置したウェィト４５は、駆動効率の向上を目的に、駆動輪４４の、設置面６への設置圧を有効に高めるべく機能する。
【００６１】
このような自走手段４０は、遠隔操作その他の適宜操作をもってブレーキ付きギヤードモータ４３を作動させることにより、進退各方向に直線走行することができる。
従って、図１６に仮想線で示すような折畳み直立姿勢にある各板材１ａ〜１ｄの展開敷設は、自走手段４０を所要速度で、所定の位置まで前進走行させることによって行うことができ、また、各板材１ａ〜１ｄの折畳みは、反力手段８の作用の下で、自走手段４０を、各板材が直立する所定位置まで後退走行させることにより行うことができる。
【００６２】
なおここにおいて、展開姿勢の板材上に移動観覧席２９を引き出して、それを図に仮想線で示すように段階的に配置した場合において、自走手段４０のハウジング４２を、踏台および足掛台としても機能させるときには、そのハウジング上面の、少なくとも、板材１ａから離れた部分に、図１４に示すように、滑止め部材４６を貼着等によって設けることが好ましい。
【００６３】
図１７は、他の自走手段を示す略線側面図であり、図１７（ａ）は乗用牽引車４７を、また図１７（ｂ）は、モータ、エンジン等の動力付きの歩行牽引機４８をそれぞれ自走手段としたものである。
【００６４】
図１８は、駆動手段のさらに他の形態を示す略線側面図であり、これは人力を動力として用い、人力の、板材１ａへの伝達手段としての手押車４９を板材１ａにヒンジ連結したものである。
【００６５】
図１９は、相互連結される板材の枚数を奇数枚とする場合に用いてとくに好適な養生パネルの略線側面図である。
ここでは三枚の板材１ｅ〜１ｇを、図１〜５との関連において先に述べたと同様にして相互連結するとともに、ベース部材２にも連結し、また、それぞれの板材１ｅ〜１ｇの長さ方向の中央部にヒンジ連結したそれぞれのリンク５０ｅ〜５０ｇをもまた相互連結することで、それぞれの板材１ｅ〜１ｇおよびリンク５０ｅ〜５０ｇで、レージトング機構に類似する平行リンク機構を構成する。従って、ここにおいては、リンク５０ｅ、５０ｆおよび板材１ｅ，１ｆで画成される四辺形および、リンク５０ｆ，５０ｇおよび板材１ｆ，１ｇで画成される四辺形のそれぞれはともに菱形状をなす。
【００６６】
またここでは、一端を電動ウインチ１５の巻取部１６に連係したワイヤロープ１７を、ベース部材側に設けた中間シーブ５１を経て、板材１ｇの、たとえば長さ方向の中央部に取り付けたシーブ５２に巻き掛け、そしてその他端を、これもたとえば、板材１ｇの適宜位置に固定すことによって駆動手段を構成する。
【００６７】
このような養生パネルでは、ウインチ１５によってワイヤロープ１７を巻き取って、一枚の板材１ｇをそれの折畳み姿勢とすることにより、平行リンク機構の作用に基づき、板材の連結枚数が奇数枚であっても、全ての板材を同時に直立姿勢とすることができる。これに対し、各板材１ｅ〜１ｇの展開変位は、ワイヤロープ１７を緩めることに起因して、各板材１ｅ〜１ｇが、反力手段８の復元反力および、各板材１ｅ〜１ｇの自重によって自づと展開方向に変位するのに対し、ワイヤロープ１７の張力をもってその展開変位速度をコントロールすることで、各板材１ｅ〜１ｇを、緩やかな速度で円滑に展開敷設することができる。
【００６８】
図２０は、以上に述べたような各種養生パネルのいずれかと、入子構造の従来既知の移動観覧席との組合わせ構造体の一の実施形態を示す部分断面側面図である。
この実施形態は、図８に示した養生パネルの、一の板材１ｄの遊端をヒンジ連結したベース部材２上に、入子構造の移動観覧席２９および、それの進退駆動手段５３を配置したものであり、ここでより好ましくは、ベース部材２上に、図２０（ａ）に示すような入込み姿勢、いいかえれば、後退姿勢で配置した移動観覧席２９を、前記板材１ｄの連結側を除いて囲繞するハウジング５４を設ける。ここでこのハウジング５４は、図示のように、ベース部材２に一体構成することの他、それとは別個独立に構成して、所要に応じてベース部材２に着脱可能とすることもできる。
【００６９】
なお、図中５５は、移動観覧席２９の前端に設けた前板を示す。
このような組合わせ構造体によれば、各板材１ｅ〜１ｇを先に述べたようにして展開敷設した状態で、進退駆動手段５３をもって移動観覧席２９の進出変位をもたらして、それを図２０（ｂ）に示すような段階的な引出し姿勢とし、併せて、図示しない他の駆動手段により、倒伏姿勢の座席５６の全てを起立姿勢とすることで、観客の着座を許容することができ、全ての座席５６への観客の着座状態においてなお、養生パネルの荷重分散作用の下で、設置面６、たとえば、アンツーカの敷き詰め区域、芝生植生区域等を十分に保護することができる。
【００７０】
またこの一方で、移動観覧席２９を、進退駆動手段５３によって、図２０（ａ）に示すような後退姿勢とするとともに、各板材１ａ〜１ｄを折畳み直立姿勢とした場合には、その移動観覧席２９を外部視界から遮へいして、観覧席２９の不使用時における見映えを向上させることができる。
【００７１】
ところで、図２１は、移動観覧席２９と養生パネルとの他の組合わせ態様を示す平面図および正面図であり、これは、養生パネルの一対を一組とし、一対の養生パネルの展開敷設下で、観覧席２９の、各入子構成部分の一方側の走行輪を一方の養生パネル上に、また、他方側走行輪を他方の養生パネル上にそれぞれ位置させたものである。
この態様によっても各板材１ａ〜１ｄは、観客を含む載置荷重を十分に分散して設置面６を有効に保護することができる。
【００７２】
なおここに示すそれぞれの板材１ａ〜１ｄは、それらの幅を、展開姿勢の先端側となる板材１ａから後端側となる板材１ｄに向けて次第に大きくすることで、設置面６に分散される単位面積当たりの荷重の均等化を図っているが、その単位面積当たりの荷重が、許容範囲内に十分に納まる場合には、各板材１ａ〜１ｄの幅を変化させることは不要である。
【００７３】
従って、このような組合わせ態様を採用する場合には、一もしくは二のベース部材２にそれぞれの養生パネルを連結するとともに、それもしくはそれらのベース部材２上に一の移動観覧席２９を配置し、そしてそれらを共通のハウジング５４にて囲繞することが好ましい。
【００７４】
なおここで、ベース部材２上の移動観覧席２９をハウジング５５をもって囲繞した場合には、組合わせ構造体の見映えをより一層向上させ、風雨等からその移動観覧席２９を有効に保護することができるのみならず、組合わせ構造体の全体を箱状単位ユニットとしてコンテナの如くに取り扱うことが可能となって運搬、積み重ね保管等を簡単にかつ容易に行うことができる。
【００７５】
図２２，２３は、上述した組合わせ構造体の取扱い例を示す工程図であり、まずは、図２２に示すように、予め所定位置に据え置いたまたは、所定位置まで搬送した構造体５７において、養生パネルの各板材１ａ〜１ｄの展開変位をもたらし、各板材が、図２３（ａ）に示すように、完全に展開されて敷設された後は、ベース部材２上からの移動観覧席２９の引出しを行うとともに、各入子構成部分上で倒伏姿勢とされている座席５６を起立作動させることによって、図２３（ｂ）に示すような着座可能状態をもたらす。
そして、かかる状態で移動観覧席２９を使用した後は、それを上述したところとは逆に作動させてハウジング内に収納し、次いで、各板材１ａ〜１ｄを完全に折畳むことで、図２２（ａ）に示す元形態に復帰させる。
【００７６】
以上この発明を図示の実施形態に基づいて説明したが、この発明の養生パネルは、屋内の、畳、カーペット等に対しても適用し得ることはもちろんである。
また、この養生パネルは、折畳み式または組立式の観覧席と組合わせることもできる他、折畳み椅子、移動式ステージ、折畳みステージ等と組合わせることもできる。
【００７７】
【発明の効果】
かくして、この発明の養生パネルによれば、設置面に損傷を与えることなく、各板材を折畳み、また展開させ得ることはもちろん。板材の展開敷設下で板材上に作用する荷重を各板材のほぼ全面にわたって十分均等に分散させることで、設置面を損傷から効果的に保護することができるので、たとえば、重量物を積載したトラック等の通過、移動観覧席の設置等に対しても、設置面の損傷のおそれを十分に除去することが可能となる。
【００７８】
またこの発明の組合わせ構造体によれば、折畳み直立姿勢とした板材で、不使用状態の移動観覧席を遮へいすることで、見映えを大きく向上させることができ、このことは、移動観覧席を囲繞するハウジングを設けた場合にとくに顕著である。
しかも、このようなハウジングを設置したときは、移動観覧席を風雨等から有効に保護することができる他、組合わせ構造体の全体を箱状単位ユニットとして取り扱うことができ、運搬、保管等を簡単かつ容易に、しかも、少ない占有スペースの下で行なうことができる。
【図面の簡単な説明】
【図１】この発明の一の実施形態を、駆動手段を省いて示す側面図である。
【図２】板材の一方の相互連結部を示す拡大側面図である。
【図３】板材の他方の相互連結部および転動輪を示す拡大側面図である。
【図４】先端側板材に取り付けた転動輪を示す拡大側面図である。
【図５】板材の、ベース部材へのヒンジ態様を示す拡大側面図である。
【図６】反力手段の一の形態を示す図である。
【図７】反力手段の他の形態を示す図である。
【図８】駆動手段の一の形態を示す側面図である。
【図９】駆動手段の他の形態を示す図である。
【図１０】ねじ駆動手段を示す図である。
【図１１】ねじ駆動手段の作動説明図である。
【図１２】駆動手段としての油圧シリンダを示す斜視図である。
【図１３】歯車駆動手段を示す図である。
【図１４】自走手段を示す部分断面略線側面図である。
【図１５】自走手段の駆動系の配設態様を示す斜視図である。
【図１６】自走手段の作用を示す側面図である。
【図１７】他の自走手段を示す略線側面図である。
【図１８】人力式駆動手段を示す略線側面図である。
【図１９】この発明の他の実施形態を示す略線側面図である。
【図２０】養生パネルと移動観覧席との組合わせ構造体の一の実施形態を示す部分断面側面図である。
【図２１】養生パネルと移動観覧席との他の組合わせ態様を示す平面図および正面図である。
【図２２】組合わせ構造体の取扱い工程を例示する斜視図である。
【図２３】組合わせ構造体の取扱い工程を例示する斜視図である。
【符号の説明】
１ａ〜１ｇ  板材
２  ベース部材
３  短尺リンク
４  下端リンク
５，７  転動輪
６  設置面
８  反力手段
９  アーム
１０  ローラ
１１  コイルばね
１２  回動軸
１３  ケーシング
１４  反力部材
１５  電動ウインチ
１６  巻取部
１７  ワイヤロープ
１７ａ  巻返し部
１８，５２  シーブ
１９  固定部
２０  ワイヤ掛合部
２１  並進駆動手段
２２  ねじ駆動手段
２３  リンク
２４  駆動モータ
２５ａ，２５ｂ  リンク
２６  ねじ軸
２７  ブロック
２８  プッシュパッド
２９  移動観覧席
３０  油圧シリンダ
３１  シリンダ
３２  ピストンロッド
３３  固定歯車
３４  回転歯車
３５  中間歯車
３６  ギヤードモータ
３７  リンク
３８  カバープレート
４０  自走手段
４１  連結部
４２  ハウジング
４３  ブレーキ付ギヤードモータ
４４  駆動輪
４５  ウエイト
４６  滑り止め部材
４７  乗用牽引車
４８  走行牽引機
４９  手押車
５０ｅ〜５０ｇ  リンク
５１  中間シーブ
５３  進退駆動手段
５４  ハウジング
５５  前板
【図１】
0003741500.tif 000002
【図２】
0003741500.tif 000003
【図３】
0003741500.tif 000004
【図４】
0003741500.tif 000005
【図５】
0003741500.tif 000006
【図６】
0003741500.tif 000007
【図７】
0003741500.tif 000008
【図８】
0003741500.tif 000009
【図９】
0003741500.tif 000010
【図１０】
0003741500.tif 000011
【図１１】
0003741500.tif 000012
【図１２】
0003741500.tif 000013
【図１３】
0003741500.tif 000014
【図１４】
0003741500.tif 000015
【図１５】
0003741500.tif 000016
【図１６】
0003741500.tif 000017
【図１７】
0003741500.tif 000018
【図１８】
0003741500.tif 000019
【図１９】
0003741500.tif 000020
【図２０】
0003741500.tif 000021
【図２１】
0003741500.tif 000022
【図２２】
0003741500.tif 000023
【図２３】
0003741500.tif 000024